(57)【要約】【課題】座位保持車椅子を昇降可能にする事で、自宅、施設や学校において、不特定多数の人が既に設置されている高さの違う机で、効率よく作業や食事をすることを可能にする軽量な座位保持車椅子座面昇降装置システムの確立。【解決手段】従来から使用されている上下折りたたみ式座位保持車椅子フレームの折りたたみ機能を利用し、自動車用油圧ジャッキシリンダーを改良したこのシステムをフレーム下部に追加し組み込む。【選択図】図１
2007117172.tif 000002
【特許請求の範囲】
【請求項１】
図１、２に示されるように、アンダーフレーム（１）の後輪側角パイプ中央部に油圧ジャッキ本体（２）をアタッチメント（４）により取り付ける。本来取り付けてあったＤ型スライドパイプから移動ステー（５）を取り外し、両端を旋盤加工したスチールシャフト（６）とを取り替える。ジャッキの動作シャフト（３）の穴にスチールシャフト（６）を通した後、元のように移動ステー（５）を取り付ける。取り付けアタッチメント（４）はジャッキの動作シャフト（３）が伸びきった時にスチールシャフト（６）の両端がストッパーにぶつかるように調整する。ジャッキアップバーをジャッキアップペダルＡ（７）と交換し根元に押しバネ（８）を取り付け、踏み込み後ペダルＡ（７）が戻り、繰り返し踏み込めるようにする。油圧解除スクリューに油圧解除ペダルＢ（９）を取り付ける。ペダルＢ下部と、フレーム（１）後部のスッテプバーに引きバネ支点（１１）とを引きバネ（１０）で繋ぐ。こうすることによりペダルＡ（７）を踏めば上昇し、ペダルＢ（９）を踏み込めば油圧が解除されるので下降し、必要な高さで離せばロックする。以上の如く構成された、上下折りたたみ式座位保持車椅子座面昇降装置システム。
【発明の詳細な説明】
【技術分野】
【０００１】
本発明は上下折りたたみ式座位保持車椅子の上下折りたたみ機能を利用し、フレーム下部に自動車用ジャッキの部品である油圧シリンダーに改良を施したものを追加配置することにより、現在使用中のこの車椅子を足の操作により、任意の高さの座面を得ることを可能にする座位保持車椅子座面昇降装置に関するものである。
【背景技術】
【０００２】
従来の座位保持車椅子は学校で授業を受ける時や食事する時、車椅子と机やテーブルが干渉してしまうことが多かった。たくさんの友達と一緒に同じ机で一緒に作業したり、食事したりする事ができなかった。これは、作業能力があっても経験が少なくなり、能力を獲得しにくいということに繋がっていた。もし、移動先で車椅子と既に設置されている机とが簡単に最適の位置関係にする事ができれば、実質的教育の機会均等がもたらされ、学校などにおける教育効果の拡大や介助負担が減り、いろんな面において多くの恩恵を受ける事ができる。  
【０００３】
学校、施設、家庭において、特定の生徒に合わせ机の高さを変更すると、いろいろな高さの車椅子には対応できず、全員が使えるようにすれば、高い机になってしまうので作業しづらくなる。そのため、専用の机以外は調整されないことが多かった。これまで机の高さの変更ばかりが取りざたされていた。固定された机に対して高さを変える事ができるバギー車は存在していたが児童用のみであり、高価であった。一般の車椅子フレームでは存在していなかった。
【０００４】
また介助面においても座位保持車椅子使用の人は、体幹の変形が大きいため複数で介助することが多く、教育現場において授業の中断など、教育効率を著しく低下させる要因となっていた。また、一人で介助しなくてはいけなくなることもあり、抱え上げての介助は、腰痛などの大きな原因の一つともなっていた。トイレやベッドへの移乗介助を一人で行う時、立ち上がらせる事が可能であれば腰への負担は大幅に軽減されるが、宙に浮いたスッテップに体重をかけることができず、一度抱えあげる必要があった。
【０００５】
もし車椅子の高さを簡単に変える事ができる装置があれば同時にこれらの問題は解決する。低価格と軽量という点をバランスよく解決した後付け装置の開発が求められていた。
【発明の開示】
【発明が解決しようとする課題】
【０００６】
解決しようとする問題点は、座位保持車椅子を昇降可能にする事で、自宅、施設や学校において、不特定多数の人が既に設置されている高さの違う机で、効率よく作業や食事をすることを可能にする軽量な座位保持車椅子座面昇降装置システムの確立である。
【０００７】
下降させることで、車椅子足置き台を地面に設置させより安定した状態での車椅子からの移乗を可能にする座位保持車椅子座面昇降装置システムの確立である。
【課題を解決するための手段】
【０００８】
本発明は、従来から使用されている上下折りたたみ式座位保持車椅子フレームの折りたたみ機能を利用し、自動車用油圧ジャッキシリンダーを改良したこのシステムをフレーム下部に追加し組み込む事により、着座したまま必要に応じて最適な座面高の調整が可能となる。
【発明の効果】
【０００９】
本発明は、安価に昇降機能を追加する事が可能であり、シェアが大きい既存の上下折りたたみ式座位保持車椅子にこのシステムを追加取り付けすることにより、介助者がスッテプを踏むことで上昇し、油圧解除レバーを踏むことで最適位置まで下降させることができる。机の高さの変化など必要に応じた最適位置に着座したままで調整が可能になる。
【００１０】
本発明は、学校、施設、家庭で既に使用しているテーブル洗面台など車椅子使用者に合わせて机の高さ調整する必要をなくすることができる。普通の椅子を使用する人と対面できる機会が増えるため、リハビリ、教育効率の向上、介助労力の軽減が見込まれる。
【００１１】
学校、施設などではこのシステムの導入により、既に設置されている設備を変更することなく、不特定多数の人が既に設置されている高さの違う机で効率よく作業や食事をすることを可能になる。バリアフリー化するための設備費が削減される。
【発明を実施するための最良の形態】
【００１２】
既存の上下折りたたみ式座位保持車椅子フレームに下部に本システムを追加取り付けすることにより、スッテプを踏むことで上昇し、油圧解除レバーを踏むことで最適位置まで下降させることができるので、机の高さの変化など必要に応じた最適位置に着座したままで調整が可能となる。
【実施例１】
【００１３】
図１、２に示されるように、アンダーフレーム１の後輪側角パイプ中央部に油圧ジャッキ本体２をアタッチメント４により取り付ける。本来取り付けてあったＤ型スライドパイプから移動ステー５を取り外し、両端を旋盤加工したスチールシャフト６とを取り替える。ジャッキの動作シャフト３の穴にスチールシャフト６を通した後、元のように移動ステー５を取り付ける。取り付けアタッチメント４はジャッキの動作シャフト３が伸びきった時にスチールシャフト６の両端がストッパーにぶつかるように調整する。ジャッキアップバーをジャッキアップペダルＡ７と交換し根元に押しバネ８を取り付け、踏み込み後ペダルＡ７が戻り、繰り返し踏み込めるようにする。油圧解除スクリューに油圧解除ペダルＢ９を取り付ける。ペダルＢ下部と、フレーム１後部のスッテプバーに引きバネ支点１１とを引きバネ１０で繋ぐ。油圧解除による高さ調整が  こうすることによりペダルＡ７を踏めば上昇し、ペダルＢ９を踏み込めば油圧が解除されるので下降し、必要な高さで離せばロックする。以上の如く構成された、上下折りたたみ式座位保持車椅子座面昇降装置システム。
【産業上の利用可能性】
【００１４】
施設、学校などではこのシステムの導入により、既に設置されている設備を変更することなく、不特定多数の人が既に設置されている高さの違う机で効率よく作業や食事をすることを可能になる。バリアフリー化するための設備費が削減される。普通の椅子を使用する人と対面できる機会が増えるため、リハビリ、教育効率の向上、介助労力の軽減が見込まれる。
【図面の簡単な説明】
【００１５】
【図１】油圧シリンダー本体部の斜視図
【図２】本システムを取り付けた車椅子後方斜視図
【図３】本システムを取り付け最高位置にした車椅子左側面斜視図
【図４】本システムを取り付け最低位置にした車椅子左側面斜視図
【符号の説明】
【００１６】
１  アンダーフレーム
２  油圧ジャッキ本体
３  シャフト
４  アタッチメント
５  ステー
６  スチールシャフト
７  ジャッキアップペダルＡ
８  押しバネ
９  油圧解除ペダルＢ
10  引きバネ  
11  引きバネ支点 
【図１】
2007117172.tif 000003
【図２】
2007117172.tif 000004
【図３】
2007117172.tif 000005
【図４】
2007117172.tif 000006